【手続補正書】
【提出日】平成20年9月1日(2008.9.1)
【手続補正１】
【補正対象書類名】明細書
【補正対象項目名】特許請求の範囲
【補正方法】変更
【補正の内容】
【特許請求の範囲】
【請求項１】
カメラに生じた振れを検出する振れ検出手段と、該振れ検出手段の出力に応じて前記振れに起因する像振れを補正する振れ補正手段と、被写体像を確認するための第１のファインダ手段と、該第１のファインダ手段とは異なる第２のファインダ手段と、前記第１のファインダ手段の使用時と前記第２のファインダ手段の使用時とで、前記振れ検出手段の検出周波数帯域を変化させる像振れ補正制御手段とを有することを特徴とする像振れ補正機能付カメラ。
【請求項２】
前記第１のファインダ手段は、被写体を観察するための光学ビューファインダであり、前記第２のファインダ手段は、撮像素子から得られる映像信号を表示する電子ビューファインダであることを特徴とする請求項１に記載の像振れ補正機能付カメラ。
【請求項３】
前記像振れ補正制御手段は、撮影者が前記電子ビューファインダを使用して撮影を行っている際には、前記光学ビューファインダの使用時よりも前記振れ検出手段の検出周波数帯域を低周波領域まで広げることを特徴とする請求項２に記載の像振れ補正機能付カメラ。
【請求項４】
撮影者の身体の一部がカメラへ接近したか否かを判別する撮影者接近判別手段と、該撮影者接近判別手段の判別結果に応じて撮影者が使用しているファインダを判別し、前記像振れ補正制御手段に使用中のファインダを知らせるファインダ判別手段とを有することを特徴とする請求項３に記載の記載の像振れ補正機能付カメラ。
【請求項５】
前記電子ビューファインダを使用するか否かを切り替えるスイッチ手段と、該スイッチ手段の状態に応じて撮影者が使用しているファインダを判別し、前記像振れ補正制御手段に使用中のファインダを知らせるファインダ判別手段とを有することを特徴とする請求項３に記載の記載の像振れ補正機能付カメラ。
【請求項６】
カメラに生じた振れを検出する振れ検出手段と、該振れ検出手段の出力に応じて前記振れに起因する像振れを補正する振れ補正手段と、被写体を観察するための光学ビューファインダと、撮像素子から得られる映像信号を表示する電子ビューファインダと、撮影者の身体の一部がカメラへ接近したか否かを判別する撮影者接近判別手段と、該撮影者接近判別手段の判別結果に応じて、撮影者が使用しているファインダを判別するファインダ判別手段とを有することを特徴とする像振れ補正機能付カメラ。
【請求項７】
カメラに生じた振れを検出する振れ検出手段と、該振れ検出手段の出力に応じて前記振れに起因する像振れを補正する振れ補正手段と、被写体を観察するための光学ビューファインダと、撮像素子から得られる映像信号を表示する電子ビューファインダと、該電子ビューファインダを使用するか否かを切り替えるスイッチ手段と、該スイッチ手段の状態に応じて、撮影者が使用しているファインダを判別するファインダ判別手段とを有することを特徴とする像振れ補正機能付カメラ。
【手続補正２】
【補正対象書類名】明細書
【補正対象項目名】０００１
【補正方法】変更
【補正の内容】
【０００１】
【発明の属する技術分野】
本発明は、カメラに生じた振れを検出し、カメラの振れに起因する像振れを補正する手段を備えた像振れ補正機能付カメラの改良に関するものである。
【手続補正３】
【補正対象書類名】明細書
【補正対象項目名】００１８
【補正方法】変更
【補正の内容】
【００１８】
また、上記第２の目的を達成するために、請求項３に記載の発明は、撮影者が前記電子ビューファインダを使用して撮影を行っている際には、前記光学ビューファインダの使用時よりも前記振れ検出手段の検出周波数帯域を低周波領域まで広げる請求項２に記載の像振れ補正機能付カメラとするものである。
【手続補正４】
【補正対象書類名】明細書
【補正対象項目名】００１９
【補正方法】変更
【補正の内容】
【００１９】
また、上記第３の目的を達成するために、請求項６に記載の発明は、カメラに生じた振れに起因する像振れを検出する振れ検出手段と、該振れ検出手段の出力に応じて前記振れを補正する振れ補正手段と、被写体を観察するための光学ビューファインダと、撮像素子から得られる映像信号を表示する電子ビューファインダと、撮影者の身体の一部がカメラへ接近したか否かを判別する撮影者接近判別手段と、該撮影者接近判別手段の判別結果に応じて、撮影者が使用しているファインダを判別するファインダ判別手段とを有する像振れ補正機能付カメラとするものである。
【手続補正５】
【補正対象書類名】明細書
【補正対象項目名】００２０
【補正方法】変更
【補正の内容】
【００２０】
同じく上記第３の目的を達成するために、請求項７に記載の発明は、カメラに生じた振れに起因する像振れを検出する振れ検出手段と、該振れ検出手段の出力に応じて前記振れを補正する振れ補正手段と、被写体を観察するための光学ビューファインダと、撮像素子から得られる映像信号を表示する電子ビューファインダと、該電子ビューファインダを使用するか否かを切り替えるスイッチ手段と、該スイッチ手段の状態に応じて、撮影者が使用しているファインダを判別するファインダ判別手段とを有する像振れ補正機能付カメラとするものである。
【手続補正６】
【補正対象書類名】明細書
【補正対象項目名】００５３
【補正方法】変更
【補正の内容】
【００５３】
次のステップ＃３１２では、上記視線検出結果の判定を行う。この実施の形態では視線方向に関する情報は不要なため、瞳接近の有無さえ判れば良い。そこで、瞳が接近した（これは視線の方向が確定できたという結果でも、もちろん構わない）と判定するとステップ＃３１３へ進み、撮影者接近判別手段の判別結果としてフラグＳＨＩＳＥＮを１に設定する。一方、瞳が接近していないと判定するとステップ＃３１４へ進み、フラグＳＨＩＳＥＮを０に設定する。
【手続補正７】
【補正対象書類名】明細書
【補正対象項目名】００５５
【補正方法】変更
【補正の内容】
【００５５】
ステップ＃３１８へ進むと、ここではメインミラー７のアップ動作を行う。そして、次のステップ＃３１９にて、キャプチャー信号の取り込みを行い、画像処理部４３の所定の処理後、ＹＵＶ信号のデータを図不示のＲＡＭ中の画素展開エリアに書き込む。このデータはＪＰＥＧ規格に準拠した画像圧縮処理を行った後、図不示のデータ格納手段へ画像ファイルとして書き込む。続いてステップ＃３２０にて、メインミラー７のダウン動作を行う。その後、再びステップ＃３０６へ進み、スイッチＳＷ１のオンオフ判別を行う。
【手続補正８】
【補正対象書類名】明細書
【補正対象項目名】００６０
【補正方法】変更
【補正の内容】
【００６０】
その後は何れの場合もステップ＃４０５へ進み、図３のステップ＃３１３又はステップ＃３１４にて設定したフラグＳＨＩＳＥＮの判別を行う。つまり、ファインダ判別手段による使用中のファインダの判別を行う。フラグＳＨＩＳＥＮが１ならステップ＃４０６へ進み、フラグＳＨＩＳＥＮが０ならステップ＃４０７へ進む。
【手続補正９】
【補正対象書類名】明細書
【補正対象項目名】００６５
【補正方法】変更
【補正の内容】
【００６５】
上記の実施の第１の形態では、視線検出のために撮影者の瞳を照明する赤外発光ダイオード（ＩＲＥＤ）と二次元ＣＣＤ等より成る視線検出センサにより撮影者の視線入力を判別し、視線入力が無いときは撮影者はＥＶＦを使用して撮影を行っていると判定し、像振れ補正の周波数帯域を、より低周波まで延ばす構成にしている。つまり、振れ検出手段の検出周波数帯域を低周波領域まで広げている。
【手続補正１０】
【補正対象書類名】明細書
【補正対象項目名】００６８
【補正方法】変更
【補正の内容】
【００６８】
また、撮影者がＯＶＦ、或いはＥＶＦを使用しているかの判別を、撮影者接近判別手段の一例である撮影者の視線入力の検出により行っているが、他の方法でも構わない。例えば、ＯＶＦの近傍に配置した投受光系で物体からの反射光を測定し顔の接近を検出するという方式でも構わない。
【手続補正１１】
【補正対象書類名】明細書
【補正対象項目名】００８９
【補正方法】変更
【補正の内容】
【００８９】
上記ステップ＃８０４の動作の後はステップ＃８０５へ進み、ここではカメラの外装部材に設けられ、ＥＶＦ４６のオンオフを切り替えるスイッチＥＶＦＳＷの状態を検出する。つまり、ファインダ判別手段による使用中のファインダの判別を行う。この結果、該スイッチＥＶＦＳＷがオフならステップ＃８０６へ進み、該スイッチＥＶＦＳＷがオンならステップ＃８０７へ進む。